(57)【要約】  電動オイルポンプの空転状態が生じた場合に、油の供給不足を補うことができると共に、空転状態を早期に解消できる車両用油圧供給装置の制御装置の実現が望まれる。内燃機関の回転停止中に、電動オイルポンプを駆動する電動駆動制御を実行可能に構成され、電動駆動制御の実行中に、電動オイルポンプの回転速度が開始判定回転速度よりも大きくなった場合、又は回転速度の変化速度の大きさが開始判定変化速度よりも大きくなった場合に、内燃機関の回転を開始させて機械式オイルポンプを駆動すると共に電動オイルポンプの駆動を継続する双ポンプ駆動制御を開始する車両用油圧供給装置の制御装置。
2015046075.tif 000002
【特許請求の範囲】
【請求項１】
内燃機関により駆動される機械式オイルポンプと、電動モータにより駆動される電動オイルポンプと、前記機械式オイルポンプ及び前記電動オイルポンプから吐出された油を供給対象に供給する油路と、を備えた車両用油圧供給装置を制御対象とする制御装置であって、
前記内燃機関の回転停止中に、前記電動オイルポンプを駆動する電動駆動制御を実行可能に構成され、
前記電動駆動制御の実行中に、前記電動オイルポンプの回転速度が開始判定回転速度よりも大きくなった場合、又は前記電動オイルポンプの回転速度の変化速度の大きさが開始判定変化速度よりも大きくなった場合に、前記内燃機関の回転を開始させて前記機械式オイルポンプを駆動すると共に前記電動オイルポンプの駆動を継続する双ポンプ駆動制御を開始する車両用油圧供給装置の制御装置。
【請求項２】
前記開始判定回転速度は、回転速度制御を行う前記電動オイルポンプの目標回転速度よりも高い回転速度に設定されている請求項１に記載の車両用油圧供給装置の制御装置。
【請求項３】
前記開始判定回転速度は、前記電動オイルポンプに空転状態が生じていない場合の前記電動オイルポンプの回転速度よりも高い回転速度に設定され、
前記開始判定変化速度は、前記電動オイルポンプに空転状態が生じていない場合の前記電動オイルポンプの回転速度の変化速度の大きさよりも大きい変化速度の大きさに設定されている請求項１又は２に記載の車両用油圧供給装置の制御装置。
【請求項４】
前記電動駆動制御において、前記電動オイルポンプの駆動を開始した後の前記電動オイルポンプの回転速度の上昇中における当該回転速度の変化速度が、前記開始判定変化速度よりも大きい場合に、前記双ポンプ駆動制御を開始する請求項１から３のいずれか一項に記載の車両用油圧供給装置の制御装置。
【請求項５】
前記双ポンプ駆動制御の実行中に、前記電動モータの駆動力が、終了判定駆動力以上に増加した場合、又は前記電動オイルポンプの回転速度の変化速度の大きさが、終了判定変化速度以下に減少した場合に、前記内燃機関の回転を停止する請求項１から４のいずれか一項に記載の車両用油圧供給装置の制御装置。
【請求項６】
前記終了判定駆動力は、前記電動オイルポンプに空転状態が生じてない場合の前記電動モータの駆動力よりも小さい駆動力に設定され、
前記終了判定変化速度は、前記電動オイルポンプに空転状態が生じてない場合における前記電動オイルポンプの回転速度の変化速度の大きさよりも大きい変化速度の大きさに設定されている請求項５に記載の車両用油圧供給装置の制御装置。
【請求項７】
前記電動駆動制御の実行中に、前記電動モータの駆動力が、開始判定駆動力以下に減少した場合に、前記双ポンプ駆動制御を開始する請求項１から６のいずれか一項に記載の車両用油圧供給装置の制御装置。
【発明の詳細な説明】
【技術分野】
【０００１】
本発明は内燃機関により駆動される機械式オイルポンプと、電動モータにより駆動される電動オイルポンプと、前記機械式オイルポンプ及び前記電動オイルポンプから吐出された油を供給対象に供給する油路と、を備えた車両用油圧供給装置を制御対象とする制御装置に関する。
【背景技術】
【０００２】
上記のような車両用油圧供給装置の制御装置として、例えば、下記の特許文献１に記載された装置が既に知られている。特許文献１の技術では、電動オイルポンプのポンプロータなどを収容したポンプ室に空気が混入した空転状態が生じ、電動モータの回転速度が所定回転速度以上となった場合に、電動モータが過回転となって、電動ポンプの摩耗や故障が発生することを抑制するため、電動モータの駆動を所定時間停止した後、再び電動モータの駆動を開始する再起動処理を、空転状態が解消するまで繰り返し実行するように構成されている。
【先行技術文献】
【特許文献】
【０００３】
【特許文献１】特開２００６−２５８０３３号公報
【発明の概要】
【発明が解決しようとする課題】
【０００４】
しかしながら、特許文献１の技術では、空転状態が生じた場合に、電動モータの駆動を一旦停止するので、空気の排出が遅れ、空転状態が解消するまでに時間がかかる恐れがあり、電動オイルポンプによる油の供給の開始が遅れる恐れがあった。
また、特許文献１には、電動オイルポンプの空転状態が解消するまでにおける、油の供給不足を補うための方法について開示されていない。【０００５】
そこで、電動オイルポンプの空転状態が生じた場合に、油の供給不足を補うことができると共に、空転状態を早期に解消できる車両用油圧供給装置の制御装置の実現が望まれる。
【課題を解決するための手段】
【０００６】
本発明に係る、内燃機関により駆動される機械式オイルポンプと、電動モータにより駆動される電動オイルポンプと、前記機械式オイルポンプ及び前記電動オイルポンプから吐出された油を供給対象に供給する油路と、を備えた車両用油圧供給装置を制御対象とする制御装置の特徴構成は、
前記内燃機関の回転停止中に、前記電動オイルポンプを駆動する電動駆動制御を実行可能に構成され、
前記電動駆動制御の実行中に、前記電動オイルポンプの回転速度が開始判定回転速度よりも大きくなった場合、又は前記電動オイルポンプの回転速度の変化速度の大きさが開始判定変化速度よりも大きくなった場合に、前記内燃機関の回転を開始させて前記機械式オイルポンプを駆動すると共に前記電動オイルポンプの駆動を継続する双ポンプ駆動制御を開始する点にある。【０００７】
内燃機関の回転が停止され、機械式オイルポンプの駆動が停止している場合であっても、電動オイルポンプを駆動して、供給対象に油を供給する必要が生じる場合がある。例えば、アイドリングストップ車両では、内燃機関の回転を停止しているアイドリングストップ中でも、内燃機関の始動後、直ぐに車両を発進できるように、電動オイルポンプを駆動して、変速装置に油を供給し変速段を形成させることが望ましい。或いは、内燃機関に加えて、車輪駆動用の電動モータが備えられているハイブリッド車両では、内燃機関の回転を停止して、車輪駆動用の電動モータの駆動力により車輪を駆動する電動走行モードを実行している場合に、電動オイルポンプを駆動して、変速装置に油を供給し変速段を形成させたり、車輪駆動用の電動モータに冷却用の油を供給したりする必要がある。【０００８】
しかしながら、車両が坂道にある場合や、車両の速度が急変した場合などに、オイルパンに蓄えられた油の液面が、車両が水平な道路にある場合の水平状態に対して変動することにより、電動オイルポンプが空気を吸い込んで空転状態が生じることがある。また、電動オイルポンプの駆動が長期間停止され、重力の影響により油が電動オイルポンプやその吸入油路から流出して、代わりに空気が流入している状態で、電動オイルポンプの駆動を開始すると空転状態が生じる。このように空転状態が生じると、電動オイルポンプの油の吐出量が減少し、必要な油の供給量を確保できなくなる恐れがある。
空転状態が生じると、ポンプロータに作用する油の粘性抵抗が小さくなるため、電動オイルポンプの回転速度が、空転状態が生じる前に比べて上昇する。また、空転状態が生じると、電動オイルポンプの回転速度の変化速度の大きさが、空転状態が生じていない場合に比べて大きくなる。上記の特徴構成によれば、電動駆動制御の実行中に、電動オイルポンプの回転速度が開始判定回転速度よりも大きくなった場合、又は電動オイルポンプの回転速度の変化速度の大きさが開始判定変化速度よりも大きくなった場合に、内燃機関の回転を開始させて機械式オイルポンプが駆動されるので、空転状態が生じることによる油の供給量の不足を低減又は解消することができる。また、機械式オイルポンプの駆動を開始した後も、電動オイルポンプの駆動が継続されるので、ポンプ室などに混入した空気を吐出し、油を吸入して、空転状態を早期に解消することができる。【０００９】
ここで、前記開始判定回転速度は、回転速度制御を行う前記電動オイルポンプの目標回転速度よりも高い回転速度に設定されていると好適である。【００１０】
空転状態が生じると、粘性抵抗が小さくなるため、電動オイルポンプの回転速度が、回転速度制御が行われている目標回転速度に対して上昇する。上記の構成によれば、空転状態が生じた後、目標回転速度よりも高く設定された開始判定回転速度により、適切に双ポンプ駆動制御を開始させることができる。【００１１】
また、前記開始判定回転速度は、前記電動オイルポンプに空転状態が生じていない場合の前記電動オイルポンプの回転速度よりも高い回転速度に設定され、前記開始判定変化速度は、前記電動オイルポンプに空転状態が生じていない場合の前記電動オイルポンプの回転速度の変化速度の大きさよりも大きい変化速度の大きさに設定されていると好適である。【００１２】
空転状態が生じると、粘性抵抗が小さくなるため、電動オイルポンプの回転速度は、空転状態が生じていない場合の回転速度から上昇する。また、粘性抵抗が小さくなると、電動オイルポンプの回転速度の変化速度の大きさは、空転状態が生じていない場合の変化速度の大きさよりも大きくなる。上記の構成によれば、空転状態が生じた後、空転状態が生じていない場合の回転速度よりも高い回転速度に設定された開始判定回転速度、及び空転状態が生じていない場合の回転速度の変化速度の大きさよりも大きい変化速度の大きさに設定された開始判定変化速度により、適切に双ポンプ駆動制御を開始させることができる。【００１３】
ここで、前記電動駆動制御において、前記電動オイルポンプの駆動を開始した後の前記電動オイルポンプの回転速度の上昇中における当該回転速度の変化速度が、前記開始判定変化速度よりも大きい場合に、前記双ポンプ駆動制御を開始すると好適である。【００１４】
電動オイルポンプの駆動停止中に、上記のような要因により、ポンプロータなどを収容したポンプ室やポンプ室の吸入油路に空気が混入している場合がある。空気が混入している状態で電動オイルポンプの駆動を開始すると、ポンプロータなどの可動部に作用する油の粘性抵抗が小さくなるため、電動オイルポンプの回転速度の変化速度が、空転状態が生じていない場合の変化速度よりも大きくなる。上記の構成によれば、電動オイルポンプの駆動が開始された後、回転速度が上昇する際に、空転状態が生じているか否かに応じて、早期に双ポンプ駆動制御を開始させるか否かを判定することができる。そのため、電動オイルポンプの駆動開始後、早期に機械式オイルポンプの駆動を開始することができ、油の供給量の不足を早期に低減又は解消することができる。【００１５】
ここで、前記双ポンプ駆動制御の実行中に、前記電動モータの駆動力が、終了判定駆動力以上に増加した場合、又は前記電動オイルポンプの回転速度の変化速度の大きさが、終了判定変化速度以下に減少した場合に、前記内燃機関の回転を停止すると好適である。【００１６】
電動オイルポンプの空転状態が終了すると、電動オイルポンプの油の吐出量が増加するため、内燃機関の回転を停止して機械式オイルポンプの駆動を停止することができる。内燃機関の回転を停止すると、内燃機関を回転させることによる燃費の悪化を抑制することができる。
空気の混入が減少すると、ポンプロータなどの可動部に作用する油の粘性抵抗が増加するため、電動モータの駆動力が増加する。上記の構成によれば、空転状態の終了により、電動モータの駆動力が、終了判定駆動力以上に増加した場合に、適切に内燃機関の回転を停止させることができる。
また、空気の混入が減少すると、ポンプロータなどの可動部に作用する油の粘性抵抗が増加するため、電動オイルポンプの回転速度が変化し難くなり、電動オイルポンプの回転速度の変化速度の大きさが減少する。上記の構成によれば、空転状態の終了により、電動オイルポンプの回転速度の変化速度の大きさが、終了判定変化速度以下に減少した場合に、適切に内燃機関の回転を停止させることができる。【００１７】
ここで、前記終了判定駆動力は、前記電動オイルポンプに空転状態が生じてない場合の前記電動モータの駆動力よりも小さい駆動力に設定され、前記終了判定変化速度は、前記電動オイルポンプに空転状態が生じてない場合における前記電動オイルポンプの回転速度の変化速度の大きさよりも大きい変化速度の大きさに設定されていると好適である。【００１８】
空転状態が終了すると、粘性抵抗が増加するため、電動オイルポンプの駆動力が、空転状態が生じていない場合の駆動力まで上昇する。上記の構成によれば、空転状態が終了した後、空転状態が生じてない場合の電動モータの駆動力よりも小さい駆動力に設定された終了判定駆動力により、適切に内燃機関の回転を停止させることができる。
また、空転状態が終了すると、粘性抵抗が増加するため、電動オイルポンプの回転速度の変化速度の大きさが、空転状態が生じていない場合の電動オイルポンプの回転速度の変化速度の大きさよりも小さくなる。上記の構成によれば、空転状態が終了した後、空転状態が生じてない場合における電動オイルポンプの回転速度の変化速度の大きさよりも大きい変化速度の大きさに設定された終了判定変化速度により、適切に内燃機関の回転を停止させることができる。【００１９】
ここで、前記電動駆動制御の実行中に、前記電動モータの駆動力が、開始判定駆動力以下に減少した場合に、前記双ポンプ駆動制御を開始すると好適である。【００２０】
電動オイルポンプの駆動中に空気の混入が生じると、ポンプロータなどの可動部に作用する油の粘性抵抗が減少するため、電動モータの駆動力が減少する。上記の構成によれば、電動駆動制御の実行中に、空転状態の発生により、電動モータの駆動力が、開始判定駆動力以下に減少した場合に、適切に双ポンプ駆動制御を開始することができる。
【図面の簡単な説明】
【００２１】
【図１】本発明の実施形態に係る車両用油圧供給装置及び制御装置の構成を示す模式図である。
【図２】本発明の実施形態に係る電動モータ制御部及び回転速度制御部の構成を示すブロック図である。
【図３】本発明の実施形態に係る、電動駆動制御の挙動を示すタイムチャートである。
【図４】本発明の実施形態に係る電動駆動制御の挙動を示すタイムチャートである。
【図５】本発明の実施形態に係る電動駆動制御の処理を示すフローチャートである。
【発明を実施するための形態】
【００２２】
本発明に係る車両用油圧供給装置１の制御装置３０（以下、単に制御装置３０と称す）の実施形態について、図面を参照して説明する。図１は、本実施形態に係る車両用油圧供給装置１及び制御装置３０の概略構成を示す模式図である。この図において、実線は駆動力の伝達経路を示し、破線は油の供給経路を示し、一点鎖線は信号の伝達経路を示している。車両用油圧供給装置１は、内燃機関ＥＮＧにより駆動される機械式オイルポンプＭＰと、電動モータＥＭにより駆動される電動オイルポンプＥＰと、機械式オイルポンプＭＰ及び電動オイルポンプＥＰから吐出された油を供給対象に供給する油路３と、を備えている。
本実施形態では、車両用油圧供給装置１は、車両に搭載されており、車両用駆動装置２の一部を構成している。
【００２３】
制御装置３０は、内燃機関ＥＮＧの回転停止中に、電動オイルポンプＥＰを駆動する電動駆動制御を実行する電動駆動制御部４５を備えている。
電動駆動制御部４５は、電動駆動制御の実行中に、電動オイルポンプＥＰの回転速度ωｍが開始判定回転速度よりも大きくなった場合、又は電動オイルポンプＥＰの回転速度ωｍの変化速度の大きさが、開始判定変化速度よりも大きくなった場合に、内燃機関ＥＮＧの回転を開始させて機械式オイルポンプＭＰを駆動すると共に電動オイルポンプＥＰの駆動を継続する双ポンプ駆動制御を開始するように構成されている。
以下、本実施形態に係る車両用油圧供給装置１及び制御装置３０について、詳細に説明する。
【００２４】
１．車両用駆動装置２及び内燃機関ＥＮＧの構成
車両用駆動装置２は、車両駆動用の駆動力源としての内燃機関ＥＮＧに駆動連結され、トルクコンバータ１４を介して入力軸Ｉから入力される内燃機関ＥＮＧの回転駆動力を、変速装置ＴＭで変速して出力軸Ｏに伝達する構成となっている。
【００２５】
内燃機関ＥＮＧは、燃料の燃焼により駆動される熱機関であり、例えば、ガソリンエンジンやディーゼルエンジンなどの公知の各種内燃機関を用いることができる。本例では、内燃機関ＥＮＧのクランクシャフト等の内燃機関出力軸Ｅｏが、入力軸Ｉに駆動連結される。また、内燃機関出力軸Ｅｏには、図示しないダンパが備えられており、内燃機関ＥＮＧの間欠的な燃焼による出力トルク及び回転速度の変動を減衰して、車輪側に伝達可能に構成されている。
【００２６】
また、本実施形態においては、内燃機関ＥＮＧに隣接してスタータモータが設けられている。スタータモータは、直流モータ等で構成され、バッテリに電気的に接続されている。スタータモータは、内燃機関ＥＮＧの回転が停止された状態でバッテリから供給される電力により駆動されて内燃機関出力軸Ｅｏを回転させ、内燃機関ＥＮＧを始動させることができるように構成されている。
【００２７】
トルクコンバータ１４は、入力軸Ｉに連結された入力側回転部材としてのポンプインペラ１４ａと、変速入力軸Ｍに連結された出力側回転部材としてのタービンランナ１４ｂと、これらの間に設けられ、ワンウェイクラッチを備えたステータ１４ｃとを備えている。そして、トルクコンバータ１４は、内部に充填された油を介して、入力側（駆動側）のポンプインペラ１４ａと出力側（従動側）のタービンランナ１４ｂとの間の駆動力の伝達を行う。トルクコンバータ１４は、ロックアップ用の係合要素として、ロックアップクラッチＬＣを備えている。このロックアップクラッチＬＣは、ポンプインペラ１４ａとタービンランナ１４ｂとの間の回転差（滑り）をなくして伝達効率を高めるために、ポンプインペラ１４ａとタービンランナ１４ｂとを一体回転させるように連結するクラッチである。ロックアップクラッチＬＣを含むトルクコンバータ１４には、油圧制御装置ＰＣにより調圧された油が供給される。
【００２８】
変速装置ＴＭは、駆動力源側に駆動連結される変速入力軸Ｍと、車輪Ｗに駆動連結される出力軸Ｏと、複数の係合装置Ｃ１、・・・を備えている。そして、複数の係合装置Ｃ１、・・・の係合又は解放に応じて複数の変速段が形成され、各変速段の変速比で変速入力軸Ｍの回転を変速すると共にトルクを変換して出力軸Ｏに伝達する。変速入力軸Ｍは、トルクコンバータ１４のタービンランナ１４ｂに駆動連結されている。変速入力軸Ｍから変速段を介して出力軸Ｏに伝達されたトルクは、出力用差動歯車装置ＤＦを介して左右二つの車軸に分配されて伝達され、各車軸に駆動連結された車輪Ｗに伝達される。
【００２９】
２．車両用油圧供給装置１の概略構成
次に、車両用油圧供給装置１について説明する。車両用油圧供給装置１は、オイルパンに蓄えられた油を吸引し、車両用駆動装置２の各供給対象に油を供給するための油圧源として、機械式オイルポンプＭＰ及び電動オイルポンプＥＰの二種類のポンプを備えている。
機械式オイルポンプＭＰは、内燃機関ＥＮＧの回転駆動力により駆動されて油を吐出するオイルポンプである。機械式オイルポンプＭＰには、歯車ポンプやベーンポンプ等を用いることができる。
本実施形態では、機械式オイルポンプＭＰは、トルクコンバータ１４のポンプインペラ１４ａに駆動連結されており、内燃機関ＥＮＧの駆動力により駆動される。しかし、機械式オイルポンプＭＰは、内燃機関ＥＮＧの回転停止中には油を吐出しない。そこで、機械式オイルポンプＭＰを補助するためのポンプとして、電動オイルポンプＥＰを備えている。
【００３０】
電動オイルポンプＥＰは、電動モータＥＭの回転駆動力により駆動されて油を吐出するオイルポンプである。電動オイルポンプＥＰには、歯車ポンプやベーンポンプ等を用いることができる。電動オイルポンプＥＰを駆動する電動モータＥＭは、インバータＩＮを介してバッテリなどの蓄電装置ＢＴに電気的に接続され、バッテリからの電力の供給を受けて駆動力を発生する。
【００３１】
また、車両用油圧供給装置１は、機械式オイルポンプＭＰ及び電動オイルポンプＥＰから吐出された油を所定圧に調整して供給対象に供給する油圧制御装置ＰＣを備えている。
機械式オイルポンプＭＰ及び電動オイルポンプＥＰは、油圧制御装置ＰＣの共通の油圧供給源とされている。機械式オイルポンプＭＰから吐出された油と、電動オイルポンプＥＰから吐出された油は、油路３で合流した後、油圧制御装置ＰＣの油圧制御弁に供給される。
【００３２】
油圧制御装置ＰＣは、機械式オイルポンプＭＰ及び電動オイルポンプＥＰから供給される油の油圧を所定圧に調整するためのリニアソレノイド弁などの複数の油圧制御弁を備えている。油圧制御弁は、制御装置３０から供給される油圧指令の信号値に応じて弁の開度を調整することにより、当該信号値に応じた所定圧に調整する。所定圧に調整された油は、それぞれ必要とされるレベルの油圧で、変速装置ＴＭの複数の係合装置Ｃ１、・・・や、トルクコンバータ１４や、ロックアップクラッチＬＣなどの車両用駆動装置２の各供給対象に供給される。
【００３３】
３．制御装置３０の構成
次に、車両用油圧供給装置１及び車両用駆動装置２の制御を行う制御装置３０、及び内燃機関制御装置３１の構成について説明する。
制御装置３０及び内燃機関制御装置３１は、ＣＰＵ等の演算処理装置を中核部材として備えるとともに、当該演算処理装置からデータを読み出し及び書き込みが可能に構成されたＲＡＭ（ランダム・アクセス・メモリ）や、演算処理装置からデータを読み出し可能に構成されたＲＯＭ（リード・オンリ・メモリ）等の記憶装置等を有して構成されている。そして、制御装置のＲＯＭ等に記憶されたソフトウェア（プログラム）又は別途設けられた演算回路等のハードウェア、或いはそれらの両方により、制御装置３０の各機能部４０〜４５などが構成されている。また、制御装置３０及び内燃機関制御装置３１は、互いに通信を行うように構成されており、センサの検出情報及び制御パラメータ等の各種情報を共有するとともに協調制御を行い、各機能部４０〜４５の機能が実現される。
【００３４】
３−１．内燃機関制御装置３１
内燃機関制御装置３１は、内燃機関ＥＮＧの動作制御を行う機能部を備えている。内燃機関制御装置３１は、アクセル開度などに基づいて、燃料噴射量やスロットル開度などを調整し、内燃機関ＥＮＧの出力を制御するように構成されている。
内燃機関制御装置３１は、アイドルストップ条件が成立した場合には、燃料供給を停止するなどして、内燃機関ＥＮＧの回転を停止する。そして、内燃機関制御装置３１は、アイドルストップ条件が解除されて、内燃機関ＥＮＧの始動条件が成立した場合に、スタータモータに電力を供給するリレー回路をオンにするなどして、スタータモータに電力を供給して内燃機関ＥＮＧを回転させると共に、内燃機関ＥＮＧへの燃料供給及び点火などを開始して、内燃機関ＥＮＧの燃焼を開始させる。
【００３５】
アイドルストップ条件は、例えば、イグニッションスイッチ（車両用駆動装置２の主電源）がオンにされ、車両の速度が停止している状態で、シフト位置がドライブレンジに設定されており、ブレーキペダルが踏まれている場合や、シフト位置がニュートラルレンジ又はパーキングレンジに設定されている場合などに成立する。一方、内燃機関ＥＮＧの始動条件は、シフト位置がドライブレンジに設定されており、ブレーキペダルが踏み込まれなくなった場合や、シフト位置がニュートラルレンジ又はパーキングレンジからドライブレンジに変更されて、ブレーキペダルが踏み込まれなくなった場合などに、アイドルストップ条件が解除されて成立する。
【００３６】
また、イグニッションスイッチがオンにされた後、アイドルストップ条件が成立している場合は、内燃機関ＥＮＧの始動条件が成立するまで、内燃機関ＥＮＧの始動が行われないように構成されている。すなわち、イグニッションスイッチがオンにされた後であっても、シフト位置がドライブレンジに設定されており、ブレーキペダルが踏まれている場合や、シフト位置がニュートラルレンジ又はパーキングレンジに設定されている場合など、アイドルストップ条件が成立している場合は、内燃機関ＥＮＧの始動が行われない。一方、イグニッションスイッチがオンにされた後、シフト位置がドライブレンジに設定されており、ブレーキペダルが踏み込まれなくなった場合や、シフト位置がニュートラルレンジ又はパーキングレンジからドライブレンジに変更されて、ブレーキペダルが踏み込まれなくなった場合など、アイドルストップ条件が解除されて始動条件が成立した場合に、内燃機関ＥＮＧの始動が行われる。
【００３７】
内燃機関制御装置３１は、アイドルストップ条件が成立している等によって、内燃機関ＥＮＧの回転を停止している状態で、後述する電動駆動制御部４５から、双ポンプ駆動制御により内燃機関ＥＮＧの回転を開始させる要求が伝達された場合は、内燃機関ＥＮＧの始動を行うように構成されている。
【００３８】
３−２．制御装置３０
制御装置３０は、変速装置ＴＭの制御を行う変速制御部４０と、ロックアップクラッチＬＣの制御を行うロックアップ制御部４１と、車両用油圧供給装置１の制御を行う油圧供給制御部４２と、を備えている。
【００３９】
３−２−１．変速制御部４０
変速制御部４０は、変速装置ＴＭを制御する機能部である。変速制御部４０は、車速、アクセル開度、及びシフト位置などのセンサ検出情報に基づいて変速装置ＴＭに形成させる目標変速段を決定する。そして、変速制御部４０は、油圧制御装置ＰＣを介して変速装置ＴＭに備えられた複数の係合装置Ｃ１、・・・に供給される油圧を制御することにより、各係合装置Ｃ１、・・・を係合又は解放して目標とされた変速段を変速装置ＴＭに形成させる。具体的には、変速制御部４０は、油圧制御装置ＰＣに各係合装置の目標油圧（油圧指令）を指令し、油圧制御装置ＰＣは、指令された目標油圧（油圧指令）の油圧を各係合装置に供給する。本実施形態では、変速制御部４０は、油圧制御装置ＰＣが備えたリニアソレノイド弁に供給される信号値を制御することにより、各係合装置に供給される油圧を制御するように構成されている。
【００４０】
変速制御部４０は、アイドルストップ条件が成立している等によって、内燃機関ＥＮＧの回転を停止している場合にも、イグニッションスイッチがオン状態である間は、内燃機関ＥＮＧの始動後、直ぐに車両を発進できるように、変速装置ＴＭに目標変速段を形成させる制御を行う。具体的には、変速制御部４０は、シフト位置がドライブレンジに設定され、ブレーキペダルが踏み込まれていることにより、アイドルストップ条件が成立している場合に、決定された目標変速段（例えば、第一速段）を形成させるため、油圧制御装置ＰＣに指令して、目標変速段を形成するための係合装置に油圧を供給するように構成されている。
【００４１】
３−２−２．ロックアップ制御部４１
ロックアップ制御部４１は、車両のアクセル開度、車速、及びシフト位置に基づいて、ロックアップクラッチＬＣの目標係合状態を決定し、ロックアップクラッチＬＣの係合又は解放を制御する機能部である。ロックアップ制御部４１は、油圧制御装置ＰＣを介してロックアップクラッチＬＣに供給される油圧を制御することにより、ロックアップクラッチＬＣを係合又は解放させる。具体的には、ロックアップ制御部４１は、油圧制御装置ＰＣにロックアップクラッチＬＣの目標油圧（油圧指令）を指令し、油圧制御装置ＰＣは、指令された目標油圧（油圧指令）の油圧をロックアップクラッチＬＣに供給する。
ロックアップ制御部４１は、アイドルストップ条件が成立している場合には、ロックアップクラッチＬＣを解放させるように構成されている。
【００４２】
３−２−３．油圧供給制御部４２
油圧供給制御部４２は、車両用油圧供給装置１の制御を行う機能部である。油圧供給制御部４２は、電動モータＥＭの駆動制御を行う電動モータ制御部４３と、内燃機関ＥＮＧの回転停止中に電動オイルポンプＥＰを駆動する電動駆動制御を実行する電動駆動制御部４５と、を備えている。
【００４３】
３−２−３−１．電動モータ制御部４３
電動モータ制御部４３は、電動モータＥＭの駆動力（出力トルクＴｍ）を制御する機能部である。
電動モータＥＭには、出力トルクを制御できるものであれば、どのような種類の電動機が用いられてもよいが、本実施形態では、永久磁石同期電動機（ＰＭＳＭ）が用いられている。
図２に示すように、電動モータ制御部４３は、目標電流Ｉｄｏ、Ｉｑｏに対して、ベクトル制御法を用いた電流フィードバック制御を行うように構成されている。
ベクトル制御では、モータロータに備えられた磁石のＮ極の向き（磁極位置）にｄ軸を定め、これより電気角でπ／２進んだ方向にｑ軸をとり、モータロータの電気角での回転に同期して回転するｄ軸及びｑ軸からなるｄｑ軸回転座標系を設定する。ここで、Ｕ相コイルを基準にｄ軸（磁極位置）の進み角（電気角）が磁極位置θｅとされる。
ベクトル制御では、目標電流Ｉｄｏ、Ｉｑｏをｄｑ軸回転座標系で設定し、各相のコイルに流れる三相電流Ｉｕ、Ｉｖ、Ｉｗを、磁極位置θｅに基づき、ｄｑ軸回転座標系で表した二相電流Ｉｄ、Ｉｑに変換し、二相電流Ｉｄ、Ｉｑが二相目標電流Ｉｄｏ、Ｉｑｏに近づくように電動モータＥＭに印加する電圧を制御する電流フィードバック制御を行う。
【００４４】
本実施形態では、電動モータ制御部４３は、目標電流設定部６０、電流算出部６１、電流フィードバック制御部６２、交流電圧指令算出部６３、インバータ制御部６４、及び位置速度算出部６５の機能部を備えている。
【００４５】
＜目標電流設定部６０＞
目標電流設定部６０は、電動モータＥＭを流れる目標電流をｄｑ軸回転座標系で表した二相目標電流Ｉｄｏ、Ｉｑｏを設定する。目標電流設定部６０は、後述する回転速度制御部４４により算出された電動モータＥＭの目標出力トルクＴｍｏに基づいて、二相目標電流Ｉｄｏ、Ｉｑｏを算出する。具体的には、目標電流設定部６０は、電動モータＥＭの出力トルクＴｍと二相電流Ｉｄ、Ｉｑとの関係特性を記憶しており、当該関係特性を用い、目標出力トルクＴｍｏを実現する二相目標電流Ｉｄｏ、Ｉｑｏを算出する。
【００４６】
＜電流算出部６１＞
電流算出部６１は、電流センサで検出した電動モータＥＭを流れる電流Ｉｕ、Ｉｖ、Ｉｗに基づいて、ｄｑ軸回転座標系で表した二相電流Ｉｄ、Ｉｑを演算する。電流算出部６１は、三相電流Ｉｕ、Ｉｖ、Ｉｗを、磁極位置θｅに基づいて、三相二相変換及び回転座標変換を行って、ｄｑ軸回転座標系で表した二相電流であるｄ軸電流Ｉｄ及びｑ軸電流Ｉｑに変換する。
【００４７】
＜電流フィードバック制御部６２＞
電流フィードバック制御部６２は、二相電流Ｉｄ、Ｉｑが二相目標電流Ｉｄｏ、Ｉｑｏに近づくように、電動モータＥＭに印加する電圧の指令信号をｄｑ軸回転座標系で表した二相電圧指令信号Ｖｄ、Ｖｑを変化させるＰＩ制御などのフィードバック制御を行う。
【００４８】
＜交流電圧指令算出部６３＞
交流電圧指令算出部６３は、二相電圧指令信号Ｖｄ、Ｖｑを、三相の電圧指令信号Ｖｕ、Ｖｖ、Ｖｗに変換する。すなわち、ｄｑ軸回転座標系で表した二相電圧指令信号Ｖｄ、Ｖｑを、磁極位置θｅに基づいて、固定座標変換及び二相三相変換を行って、三相それぞれのコイルへの電圧指令信号である三相電圧指令信号Ｖｕ、Ｖｖ、Ｖｗに変換する。
【００４９】
＜インバータ制御部６４＞
インバータ制御部６４は、三相電圧指令信号Ｖｕ、Ｖｖ、Ｖｗに基づき、インバータＩＮが備える複数のスイッチング素子をオンオフ制御するインバータ制御信号を生成する。インバータ制御部６４は、三相電圧指令信号Ｖｕ、Ｖｖ、Ｖｗとキャリア波との比較に基づく各種のパルス幅変調（ＰＷＭ：Ｐｕｌｓｅ Ｗｉｄｔｈ Ｍｏｄｕｌａｔｉｏｎ）により、インバータ制御信号を生成する。インバータＩＮが備える複数のスイッチング素子は、インバータ制御信号に基づきオンオフ制御される。
【００５０】
＜位置速度算出部６５＞
位置速度算出部６５は、電動モータＥＭの磁極位置θｅ、及び磁極位置の回転速度ωｅ（電動モータＥＭの回転速度ωｍ）を算出する。電動モータＥＭの回転速度ωｍは、レゾルバなどの回転速度検出センサによって検出されてもよいが、本実施形態では、回転速度検出センサが備えられていないセンサレスの電動モータＥＭとされている。
位置速度算出部６５は、印加電圧とモータ電流を用いた速度起電力推定に基づいて、磁極位置θｅ及び回転速度ωｅの推定を行うように構成されたり、埋込磁石構造永久磁石同期電動機（ＩＰＭＳＭ）の突極性を利用し、高調波の電圧又は電流を印加したときの電流又は電圧を観測して、磁極位置θｅ及び回転速度ωｅの推定を行うように構成されたりする。
【００５１】
３−２−３−２．回転速度制御部４４
回転速度制御部４４は、電動モータＥＭの回転速度ωｍが、目標回転速度ωｍｏに近づくように電動モータＥＭの出力トルクＴｍを変化させる回転速度制御を実行する機能部である。本実施形態では、回転速度制御部４４は、速度フィードバック制御部７０、及び目標速度設定部７１の機能部を備えている。
【００５２】
＜目標速度設定部７１＞
目標速度設定部７１は、電動モータＥＭの目標回転速度ωｍｏを設定する機能部である。電動モータＥＭの回転速度ωｍが高くなるほど、電動オイルポンプＥＰの油の吐出量が増加する。目標速度設定部７１は、変速装置ＴＭの変速段を変更する変速時など、供給対象に供給する必要な油の供給量が増加するほど、目標回転速度ωｍｏを増加させる。
【００５３】
＜速度フィードバック制御部７０＞
速度フィードバック制御部７０は、電動モータＥＭの回転速度ωｍが、目標回転速度ωｍｏに近づくように電動モータＥＭの出力トルクＴｍを変化させる回転速度制御を行う機能部である。
本実施形態では、速度フィードバック制御部７０は、電動モータＥＭの目標回転速度ωｍｏと回転速度ωｍとの偏差に基づいて、比例演算及び積分演算を行って、電動モータＥＭの目標出力トルクＴｍｏを算出する比例積分制御（ＰＩ制御）を行うように構成されている。回転速度制御の制御ゲイン（本例では、比例ゲイン、積分ゲイン）は、目標回転速度ωｍｏの変化に対する回転速度ωｍの応答を表す目標値応答のオーバーシュート量、収束時間、振動性が適切になるように設定されている。
【００５４】
３−２−３−３．電動駆動制御部４５
電動駆動制御部４５は、内燃機関ＥＮＧの回転停止中に、電動オイルポンプＥＰを駆動する電動駆動制御を実行する機能部である。
本実施形態では、電動駆動制御部４５は、アイドルストップ条件が成立しており、内燃機関ＥＮＧの回転が停止している場合に、電動オイルポンプＥＰを駆動する電動駆動制御を実行するように構成されている。
【００５５】
本実施形態では、上記のように、変速制御部４０は、アイドルストップ条件が成立している場合にも、内燃機関ＥＮＧの始動後、直ぐに車両を発進できるように、変速装置ＴＭに目標変速段を形成させるように構成されている。よって、内燃機関ＥＮＧの回転が停止しており、機械式オイルポンプＭＰが駆動されていない場合に、電動モータＥＭにより電動オイルポンプＥＰを駆動して、変速装置ＴＭに供給する油圧を発生させる必要がある。
【００５６】
＜空転状態による供給油量の不足＞
しかし、電動オイルポンプＥＰの駆動中に、何らかの要因により、ポンプロータを収容したポンプ室に空気が混入した空転状態が生じると、電動オイルポンプＥＰの油の吐出量が減少し、変速段の形成や潤滑や冷却のために必要な油圧を変速装置ＴＭなどに供給できなく恐れがある。
空転状態は、車両が坂道にある場合や、車両の速度が急変した場合などに、オイルパンに蓄えられた油の液面が、車両が水平な道路にある場合の水平状態に対して変動することにより、ストレーナなどの油の吸入口が空気中に露出し、電動オイルポンプＥＰが空気を吸い込んだ場合に生じる。また、空転状態は、電動オイルポンプＥＰの駆動が長期間停止され、重力の影響により油が電動オイルポンプＥＰ内やストレーナから電動オイルポンプＥＰまでの吸入油路内から流出して、代わりに空気が流入している状態で、電動オイルポンプＥＰの駆動が開始された場合に生じる。
【００５７】
そこで、電動駆動制御部４５は、電動駆動制御の実行中に、電動オイルポンプＥＰのポンプ室に空気が混入した空転状態が生じた場合に、内燃機関ＥＮＧの回転を開始させて機械式オイルポンプＭＰを駆動すると共に電動オイルポンプＥＰの駆動を継続する双ポンプ駆動制御を実行するように構成されている。
本実施形態では、電動駆動制御部４５は、内燃機関制御装置３１に内燃機関ＥＮＧの回転をさせる要求を伝達し、アイドルストップ条件が成立していても、内燃機関ＥＮＧの始動を行わせるように構成されている。内燃機関ＥＮＧの回転により機械式オイルポンプＭＰが駆動されるので、油の供給量の不足を低減又は解消することができる。
また、電動オイルポンプＥＰの駆動が継続されるので、ポンプ室に混入した空気を吐出し、ポンプ室に油を供給して、空転状態を早期に解消することができる。ここで、ポンプロータを収容したポンプ室に油が充填され、ポンプ室から空気が排出されると、空転状態が終了する。
【００５８】
なお、機械式オイルポンプＭＰのポンプロータを収容したポンプ室にも空気が混入し空転状態が生じたとしても、本実施形態に係る機械式オイルポンプＭＰの吐出量（吐出能力）は、電動オイルポンプＥＰの吐出量（吐出能力）より大きく、電動オイルポンプＥＰより早期に空転状態を解消することができる。よって、内燃機関ＥＮＧを回転させて機械式オイルポンプを駆動することにより、油の供給量の不足をより早期に低減又は解消することができる。
【００５９】
電動駆動制御部４５は、双ポンプ駆動制御の実行中に、電動オイルポンプＥＰの空転状態が終了した場合に、内燃機関ＥＮＧの回転を停止するように構成されている。なお、内燃機関ＥＮＧの回転を停止した後も、電動オイルポンプＥＰの駆動を継続させる。
【００６０】
本実施形態では、電動駆動制御部４５は、電動駆動制御の実行中に、電動オイルポンプＥＰの回転速度ωｍが開始判定回転速度よりも大きくなった場合、又は電動オイルポンプＥＰの回転速度ωｍの変化速度（回転加速度）の大きさ（絶対値）が、開始判定変化速度よりも大きくなった場合に、内燃機関ＥＮＧの回転を開始させて機械式オイルポンプＭＰを駆動すると共に電動オイルポンプＥＰの駆動を継続する双ポンプ駆動制御を開始するように構成されている。
開始判定回転速度は、電動オイルポンプＥＰに空転状態が生じていない場合の電動オイルポンプＥＰの回転速度ωｍよりも高い回転速度に設定されている。また、開始判定変化速度は、電動オイルポンプＥＰに空転状態が生じていない場合の電動オイルポンプＥＰの回転速度ωｍの変化速度の大きさ（絶対値）よりも大きい変化速度の大きさに設定されている。
【００６１】
電動駆動制御部４５は、電動駆動制御において、電動オイルポンプＥＰの駆動を開始した後の電動オイルポンプＥＰの回転速度ωｍの上昇中における当該回転速度ωｍの変化速度が、ポンプ駆動開始時の開始判定変化速度よりも大きい場合に、双ポンプ駆動制御を開始するように構成されている。ポンプ駆動開始時の開始判定変化速度は、空転状態が生じていない場合における、電動オイルポンプＥＰの駆動を開始した後の電動オイルポンプＥＰの回転速度ωｍの上昇中における当該回転速度ωｍの変化速度よりも大きい変化速度に設定される。
【００６２】
電動オイルポンプＥＰの駆動停止中に、上記のような要因により、ポンプ室やストレーナからポンプ室までの吸入油路に空気が混入している場合がある。図３に示すように、この空気が混入している状態で電動オイルポンプＥＰの駆動を開始すると（時刻Ｔ０１以降）、粘性抵抗が小さくなるため、電動オイルポンプＥＰの回転速度の変化速度が、空転状態が生じていない場合に応じた変化速度よりも大きくなる。
【００６３】
本実施形態では、空気の混入が生じていない場合における回転速度のフィードバック系の目標値応答が、適切なオーバーシュート量、収束時間、振動性を有する応答になるように、回転速度制御の制御ゲインが設定されている。そのため、空気の混入が生じていない場合は、図３に破線で示すように、時刻Ｔ０１で電動オイルポンプＥＰの駆動が開始され、目標回転速度がステップ的に増加された後、電動オイルポンプＥＰ（電動モータＥＭ）の回転速度ωｍは、所定の遅れを有して上昇し、オーバーシュート量及び振動性が小さくなっている。
【００６４】
一方、空気の混入が生じている場合は、ポンプロータに作用する油の粘性抵抗が低下している。粘性抵抗が低下すると、電動モータＥＭの出力トルクＴｍの変化に対する電動モータＥＭの回転速度ωｍの変化の大きさが増加する。その結果、図３に実線で示すように、電動モータＥＭの回転速度ωｍの上昇速度は、空気の混入が生じていない場合の上昇速度以上に増加している。また、空気の混入が生じていない場合の粘性抵抗に合わせて設定した制御ゲインを用いて制御されているので、目標値応答が、空気の混入がない場合に比べて、より高周波になると共に振動性が増加しており、目標回転速度ωｍｏに対するオーバーシュート量が増加している。
【００６５】
電動駆動制御部４５は、電動オイルポンプＥＰの駆動を開始した後の電動オイルポンプＥＰの回転速度ωｍの上昇中における当該回転速度ωｍの変化速度が、ポンプ駆動開始時の開始判定変化速度よりも大きい場合に、双ポンプ駆動制御を開始し、ポンプ駆動開始時の開始判定変化速度以下である場合に、双ポンプ駆動制御を開始しないように構成されている。
【００６６】
例えば、電動駆動制御部４５は、電動オイルポンプＥＰの駆動開始後、電動オイルポンプＥＰの回転速度ωｍが、目標回転速度ωｍｏに基づいて設定した判定速度（例えば、目標回転速度ωｍｏの８０％）に到達するまでの到達時間を測定し、判定速度を到達時間で除算して、電動オイルポンプＥＰの回転速度ωｍの変化速度を求めるように構成される。そして、電動駆動制御部４５は、求めた回転速度ωｍの変化速度が、空転状態が生じていない場合の回転速度ωｍの変化速度に応じて予め設定したポンプ駆動開始時の開始判定変化速度（例えば、空転状態が生じていない場合の回転速度ωｍの変化速度の１５０％）よりも大きい場合に、空転状態が生じたと判定して、双ポンプ駆動制御を開始するように構成される。図３に示す例では、電動駆動制御部４５は、回転速度ωｍの変化速度が開始判定変化速度よりも大きいので、時刻Ｔ０２で、空転状態が生じたと判定し、内燃機関ＥＮＧを始動させて回転を開始させている。
【００６７】
また、本実施形態では、電動駆動制御部４５は、電動オイルポンプＥＰの駆動開始後、電動オイルポンプＥＰの回転速度ωｍが、ポンプ駆動開始時の開始判定回転速度に到達した場合に、空転状態が生じたとして、双ポンプ駆動制御を開始し、開始判定回転速度に到達しなかった場合に、空転状態が生じていないとして、双ポンプ駆動制御を開始しないように構成されている。ポンプ駆動開始時の開始判定回転速度は、目標回転速度ωｍｏよりも高い回転速度（例えば、目標回転速度ωｍｏの１２０％）に設定されている。なお、目標回転速度ωｍｏは、電動オイルポンプＥＰに空転状態が生じていない場合の電動オイルポンプＥＰの回転速度ωｍに対応している。
【００６８】
また、本実施形態では、電動駆動制御部４５は、電動駆動制御の実行中に、電動モータＥＭの駆動力（出力トルクＴｍ）が、開始判定駆動力（出力トルク）以下に減少した場合に、双ポンプ駆動制御を開始するように構成されている。開始判定駆動力は、電動オイルポンプＥＰに空転状態が生じていない場合の電動モータＥＭの駆動力よりも小さい駆動力に設定されている。
【００６９】
電動オイルポンプＥＰの駆動中に、上記のような要因により、ポンプロータを収容したポンプ室に空気が混入する場合がある。図４に示すように、電動オイルポンプＥＰの駆動中に、空気の混入が生じると（時刻Ｔ１１以降）、ポンプロータに作用する油の粘性抵抗が低下するため、電動オイルポンプＥＰの回転速度ωｍを目標回転速度に維持するために必要な電動モータＥＭの出力トルクＴｍが、粘性抵抗の低下に応じて低下する。
【００７０】
例えば、電動駆動制御部４５は、電動モータＥＭの出力トルクＴｍ（目標出力トルクＴｍｏ）が、空転状態が生じていない場合の出力トルクＴｍ（目標出力トルクＴｍｏ）に応じて予め設定した開始判定駆動力（例えば、空転状態が生じていない場合の出力トルクＴｍの５０％）より小さくなった場合に、空転状態が生じたと判定して、双ポンプ駆動制御を開始するように構成される。図４に示す例では、電動駆動制御部４５は、時刻Ｔ１２で、電動モータＥＭの目標出力トルクＴｍｏが開始判定駆動力より小さくなったため、空転状態が生じたと判定し、内燃機関ＥＮＧを始動させて回転を開始させている。
【００７１】
図４に示すように、電動駆動制御の実行中に、空転状態が生じた後、電動モータＥＭの駆動力（出力トルクＴｍ）が、空転状態に対応した駆動力まで減少するまでの間（時刻Ｔ１１から時刻Ｔ１２）、電動オイルポンプＥＰの回転速度ωｍが、目標回転速度ωｍｏに対してオーバーシュートしている。電動駆動制御部４５は、上記のように、電動オイルポンプＥＰの回転速度ωｍが、開始判定回転速度よりも大きくなった場合に、双ポンプ駆動制御を開始するように構成される。本実施形態では、開始判定回転速度は、目標回転速度ωｍｏよりも高い回転速度（例えば、目標回転速度ωｍｏの１２０％）に設定される。目標回転速度ωｍｏは、電動オイルポンプＥＰに空転状態が生じていない場合の電動オイルポンプＥＰの回転速度ωｍに対応している。
【００７２】
また、上記のように、空気の混入が生じると、ポンプロータに作用する油の粘性抵抗が低下するため、電動モータＥＭの出力トルクＴｍの変化に対する電動オイルポンプＥＰの回転速度ωｍの変化の大きさが増加する。このことは、目標回転速度ωｍｏが変化したときに判定しやすい。図４に示すように、時刻Ｔ１３で、目標回転速度ωｍｏがステップ的に変化した後、空気の混入がある場合は、空気の混入がない場合に比べて、電動モータＥＭの目標出力トルクＴｍｏの変化に対する電動オイルポンプＥＰの回転速度ωｍの変化の大きさが増加し、電動オイルポンプＥＰの回転速度ωｍの変化速度の大きさが増加している。また、空気の混入がある場合は、目標値応答が、空気の混入がない場合に比べて、より高周波になると共に振動性が増加しており、目標回転速度ωｍｏに対するオーバーシュート量が増加している。
【００７３】
本実施形態では、電動駆動制御部４５は、目標回転速度ωｍｏを変化させた後における、電動オイルポンプＥＰの回転速度ωｍの変化速度の大きさ（絶対値）が、開始判定変化速度よりも大きい場合に、双ポンプ駆動制御を開始するように構成されている。
電動駆動制御部４５は、目標回転速度ωｍｏを所定の変化量だけ変化させた後、電動オイルポンプＥＰの回転速度ωｍの変化量が、目標回転速度ωｍｏの変化量に基づいて設定した判定変化量（例えば、目標回転速度ωｍｏの変化量の８０％）に到達するまでの到達時間を測定し、判定変化量を到達時間で除算して回転速度ωｍの変化速度を求めるように構成されている。そして、電動駆動制御部４５は、求めた回転速度ωｍの変化速度が、空転状態が生じていない場合の回転速度ωｍの変化速度の大きさに応じて予め設定した開始判定変化速度（例えば、空転状態が生じていない場合の回転速度ωｍの変化速度の１５０％）よりも大きい場合に、空転状態が生じたと判定して、双ポンプ駆動制御を開始するように構成されている。
【００７４】
電動モータＥＭの回転速度制御における制御ゲイン（本例では、ＰＩ制御の制御ゲイン）を変化させると、同じ空気の混入状態でも、電動オイルポンプＥＰの回転速度ωｍの変化速度の大きさが変化する。回転速度制御の制御ゲインを増加させると、電動モータＥＭの駆動力の変化速度の大きさが増加するので、同じ空気の混入状態でも、回転速度ωｍの変化速度の大きさが増加する。回転速度制御の制御ゲインを減少させると、電動モータＥＭの駆動力の変化速度の大きさが減少するので、同じ空気の混入状態でも、回転速度ωｍの変化速度の大きさが減少する。そこで、電動駆動制御部４５は、回転速度制御の制御ゲインの設定に応じて、開始判定変化速度を変化させるように構成されてもよい。電動駆動制御部４５は、回転速度制御の制御ゲインが減少されると、開始判定変化速度を減少させ、回転速度制御の制御ゲインが増加されると、開始判定変化速度を増加させる。
【００７５】
また、電動駆動制御部４５は、電動モータＥＭの駆動力（出力トルクＴｍ）の変化に対する電動オイルポンプＥＰの回転速度ωｍの変化の大きさが、開始判定値以上に増加した場合に、双ポンプ駆動制御を開始するように構成されてもよい。このように構成すれば、回転速度制御の制御ゲインの変化などに影響されずに、空気の混入状態による粘性抵抗の変化を判定することができる。開始判定値は、電動オイルポンプＥＰに空転状態が生じていない場合における、電動モータＥＭの駆動力の変化に対する電動オイルポンプＥＰの回転速度ωｍの変化の大きさよりも大きい値に設定される。
【００７６】
この場合は、例えば、電動駆動制御部４５は、目標回転速度ωｍｏを所定の変化量だけ変化させた後、電動オイルポンプＥＰの回転速度ωｍの変化量が、目標回転速度ωｍｏの変化量に基づいて設定した判定変化量（例えば、目標回転速度ωｍｏの変化量の８０％）に到達するまでの電動モータＥＭの出力トルクＴｍ（目標出力トルクＴｍｏ）の操作量を積算し、判定変化量を操作量の積算値で除算して、電動モータＥＭの駆動力の変化に対する電動オイルポンプＥＰの回転速度ωｍの変化の大きさを求めるように構成される。そして、電動駆動制御部４５は、求めた回転速度ωｍの変化の大きさが、空転状態が生じていない場合における電動モータＥＭの駆動力の変化に対する回転速度ωｍの変化の大きさに応じて予め設定した開始判定値（例えば、空転状態が生じていない場合の回転速度ωｍの変化の大きさの１５０％）よりも大きい場合に、空転状態が生じたと判定して、双ポンプ駆動制御を開始するように構成される。
【００７７】
＜空転状態の終了判定＞
本実施形態では、電動駆動制御部４５は、双ポンプ駆動制御の実行中に、電動モータＥＭの駆動力が、終了判定駆動力以上に増加した場合、又は電動オイルポンプＥＰの回転速度ωｍの変化速度（回転加速度）の大きさ（絶対値）が、終了判定変化速度以下に減少した場合に、内燃機関ＥＮＧの回転を停止するように構成されている。
終了判定駆動力は、電動オイルポンプＥＰに空転状態が生じていない場合の電動モータＥＭの駆動力よりも小さい駆動力に設定されている。終了判定変化速度は、電動オイルポンプＥＰに空転状態が生じていない場合における、電動オイルポンプＥＰの回転速度ωｍの変化速度の大きさよりも大きい変化速度の大きさに設定されている。本実施形態では、終了判定駆動力は、開始判定駆動力以上に設定されている。また、終了判定変化速度は、開始判定変化速度以下に設定されている。
【００７８】
電動オイルポンプＥＰの駆動を継続していると、ポンプ室に混入した空気が吐出され、油が供給されて、空転状態が解消する場合がある。空気の混入がなくなると、粘性抵抗が増加するため、電動オイルポンプＥＰの回転速度ωｍを目標回転速度に維持するために必要な電動モータＥＭの出力トルクＴｍが、粘性抵抗の増加に応じて増加する。
【００７９】
例えば、電動駆動制御部４５は、電動モータＥＭの出力トルクＴｍ（目標出力トルクＴｍｏ）が、空転状態が生じていない場合の出力トルクＴｍ（目標出力トルクＴｍｏ）に応じて予め設定した終了判定駆動力（例えば、空転状態が生じていない場合の出力トルクＴｍの８０％）より大きくなった場合に、空転状態が終了したと判定して、内燃機関ＥＮＧの回転を停止するように構成される。図３及び図４に示す例では、電動駆動制御部４５は、時刻Ｔ０４及び時刻Ｔ１５で、電動モータＥＭの目標出力トルクＴｍｏが終了判定駆動力より大きくなったため、空転状態が終了したと判定し、内燃機関ＥＮＧの回転を停止している。
【００８０】
また、上記のように、空気の混入がなくなると、ポンプロータに作用する油の粘性抵抗が増加するため、電動モータＥＭの出力トルクＴｍの変化に対する電動オイルポンプＥＰの回転速度ωｍの変化の大きさが減少する。このことは、目標回転速度ωｍｏが変化したときに判定しやすい。図３に示すように、時刻Ｔ０５で、目標回転速度ωｍｏがステップ的に変化した後、空気の混入がない場合は、空気の混入がある場合に比べて、電動モータＥＭの目標出力トルクＴｍｏの変化に対する電動オイルポンプＥＰの回転速度ωｍの変化の大きさが減少し、電動オイルポンプＥＰの回転速度ωｍの変化速度の大きさが減少している。また、空気の混入がなくなったので、目標値応答が、空気の混入がある場合に比べて、より低周波になると共に振動性が低下しており、目標回転速度ωｍｏに対するオーバーシュート量が減少している。
【００８１】
例えば、電動駆動制御部４５は、目標回転速度ωｍｏを所定の変化量だけ変化させた後、電動オイルポンプＥＰの回転速度ωｍの変化量が、目標回転速度の変化量に基づいて設定した判定変化量（例えば、目標回転速度の変化量の８０％）に到達するまでの到達時間を測定し、判定変化量を到達時間で除算して回転速度ωｍの変化速度を求めるように構成される。そして、電動駆動制御部４５は、求めた回転速度ωｍの変化速度の大きさが、空転状態が生じていない場合の回転速度ωｍの変化速度の大きさに応じて予め設定した終了判定変化速度（例えば、空転状態が生じていない場合の回転速度ωｍの変化速度の大きさの１５０％）よりも小さい場合に、空転状態が終了したと判定し、内燃機関ＥＮＧの回転を停止するように構成される。
【００８２】
上記したように、回転速度制御の制御ゲインを変化させると、同じ空気の混入状態でも、電動オイルポンプＥＰの回転速度ωｍの変化速度の大きさが変化する。電動駆動制御部４５は、回転速度制御の制御ゲインの設定に応じて、終了判定変化速度を変化させるように構成されてもよい。電動駆動制御部４５は、回転速度制御の制御ゲインが減少されると、終了判定変化速度を減少させ、回転速度制御の制御ゲインが増加されると、終了判定変化速度を増加させる。
【００８３】
また、電動駆動制御部４５は、電動モータＥＭの駆動力（出力トルクＴｍ）の変化に対する電動オイルポンプＥＰの回転速度ωｍの変化の大きさが、終了判定値以下に減少した場合に、内燃機関ＥＮＧの回転を停止するように構成されてもよい。このように構成すれば、回転速度制御の制御ゲインの変化などに影響されずに、空気の混入状態による粘性抵抗の変化を判定することができる。終了判定値は、電動オイルポンプＥＰに空転状態が生じていない場合における、電動モータＥＭの駆動力の変化に対する電動オイルポンプＥＰの回転速度ωｍの変化の大きさよりも大きい値に設定される。
【００８４】
この場合は、例えば、電動駆動制御部４５は、目標回転速度ωｍｏを所定の変化量だけ変化させた後、電動オイルポンプＥＰの回転速度ωｍの変化量が、目標回転速度ωｍｏの変化量に基づいて設定した判定変化量（例えば、目標回転速度ωｍｏの変化量の８０％）に到達するまでの電動モータＥＭの出力トルクＴｍ（目標出力トルクＴｍｏ）の操作量を積算し、判定変化量を操作量の積算値で除算して、電動モータＥＭの駆動力の変化に対する電動オイルポンプＥＰの回転速度ωｍの変化の大きさを求めるように構成される。そして、電動駆動制御部４５は、求めた回転速度ωｍの変化の大きさが、空転状態が生じていない場合における、電動モータＥＭの駆動力の変化に対する電動オイルポンプＥＰの回転速度ωｍの変化の大きさに応じて予め設定した終了判定値（例えば、空転状態が生じていない場合の回転速度ωｍの変化の大きさの１５０％）よりも大きい場合に、空転状態が終了したと判定して、内燃機関ＥＮＧの回転を停止するように構成される。
【００８５】
図４に示すように、電動駆動制御の実行中に、空転状態が解消し始めた後、電動モータＥＭの駆動力（出力トルクＴｍ）が、空転状態に対応した駆動力まで増加するまでの間（時刻Ｔ１４から時刻Ｔ１５）、電動オイルポンプＥＰの回転速度ωｍが、目標回転速度ωｍｏに対してアンダーシュートしている。電動駆動制御部４５は、電動オイルポンプＥＰの回転速度ωｍが、終了判定回転速度よりも小さくなった場合に、内燃機関ＥＮＧの回転を停止するように構成されてもよい。終了判定回転速度は、電動オイルポンプＥＰに空転状態が生じていない場合の電動オイルポンプＥＰの回転速度ωｍよりも低い回転速度に設定されている。終了判定回転速度は、目標回転速度ωｍｏよりも低い回転速度（例えば、目標回転速度ωｍｏの８０％）に設定される。目標回転速度ωｍｏは、電動オイルポンプＥＰに空転状態が生じていない場合の電動オイルポンプＥＰの回転速度ωｍに対応している。
【００８６】
３−２−３−４．フローチャート
図５に示すフローチャートに基づき、電動駆動制御の処理について説明する。
電動駆動制御部４５は、電動駆動制御の実行条件が成立した場合（ステップ♯０１：Ｙｅｓ）に、内燃機関ＥＮＧの回転停止中に、電動オイルポンプＥＰを駆動する電動駆動制御を開始する。電動駆動制御の実行条件は、内燃機関ＥＮＧの回転停止状態において、車両用駆動装置２を動力伝達可能な状態にする等のために、車両用駆動装置２に油圧を供給する場合に成立し、油圧を供給しない場合に不成立となる。本実施形態では、アイドルストップ条件が成立している場合に、変速装置ＴＭに変速段を形成するため、電動駆動制御の実行条件が成立する。
【００８７】
そして、電動駆動制御部４５は、電動オイルポンプＥＰの駆動を開始する（ステップ♯０２）。具体的には、電動駆動制御部４５は、回転速度制御部４４に回転速度制御を開始させ、電動モータＥＭの回転を開始させる。
【００８８】
電動駆動制御部４５は、電動駆動制御の実行中に、電動オイルポンプＥＰのポンプ室に空気が混入した空転状態が生じたか否かを判定する（ステップ♯０３）。本実施形態では、上記したように、電動駆動制御部４５は、電動オイルポンプＥＰの回転速度ωｍが開始判定回転速度よりも大きくなった場合や、電動オイルポンプＥＰの回転速度ωｍの変化速度の大きさが、開始判定変化速度よりも大きくなった場合や、電動モータＥＭの駆動力が、開始判定駆動力以下に減少した場合などに、空転状態が生じたと判定するように構成されている。電動駆動制御部４５は、電動オイルポンプＥＰの空転状態が生じた場合（ステップ♯０３：Ｙｅｓ）に、内燃機関ＥＮＧの回転を開始させて機械式オイルポンプＭＰを駆動する（ステップ♯０５）と共に、電動オイルポンプＥＰの駆動を継続する（ステップ♯０６）双ポンプ駆動制御を実行する。
一方、電動駆動制御部４５は、電動オイルポンプＥＰの空転状態が生じておらず（ステップ♯０３：Ｎｏ）、且つ電動駆動制御の実行条件が成立したままである場合（ステップ♯０４：Ｙｅｓ）は、内燃機関ＥＮＧの回転停止、及び電動オイルポンプＥＰの駆動を維持する。
【００８９】
電動駆動制御部４５は、双ポンプ駆動制御の実行中に、電動オイルポンプＥＰの空転状態が終了したか否かを判定する（ステップ♯０７）。本実施形態では、上記したように、電動駆動制御部４５は、電動モータＥＭの駆動力が、終了判定駆動力以上に増加した場合や、電動オイルポンプＥＰの回転速度ωｍの変化速度の大きさが、終了判定変化速度以下に減少した場合などに、空転状態が終了したと判定するように構成されている。電動駆動制御部４５は、電動オイルポンプＥＰの空転状態が終了した場合（ステップ♯０７：Ｙｅｓ）に、内燃機関ＥＮＧの回転を停止する（ステップ♯０９）と共に、電動オイルポンプＥＰの駆動を継続する（ステップ♯１０）。そして、電動駆動制御部４５は、ステップ♯０３に戻り、電動オイルポンプＥＰの空転状態が再び生じたか否かを判定する。
一方、電動駆動制御部４５は、電動オイルポンプＥＰの空転状態が終了しておらず（ステップ♯０７：Ｎｏ）、且つ電動駆動制御の実行条件が成立したままである場合（ステップ♯０８：Ｙｅｓ）は、双ポンプ駆動制御を継続し、内燃機関ＥＮＧの回転及び電動オイルポンプＥＰの駆動を維持する。
【００９０】
電動駆動制御部４５は、電動駆動制御の実行中に、電動駆動制御の実行条件が成立しなくなった場合（ステップ♯０４：Ｎｏ、又はステップ♯０８：Ｎｏ）、電動オイルポンプＥＰの駆動を終了して（ステップ♯１１）、電動駆動制御を終了する。電動駆動制御の実行条件は、電動オイルポンプＥＰから車両用駆動装置２への油圧供給が不要となった場合に成立しなくなる。本実施形態では、アイドルストップ条件が成立しなくなった場合に、電動駆動制御の実行条件が成立しなくなる。例えば、シフト位置がドライブレンジに設定されており、ブレーキペダルが踏み込まれなくなった場合に、アイドルストップ条件が成立しなくなり、電動オイルポンプＥＰの駆動が終了する。なお、この場合は、内燃機関ＥＮＧの回転が開始されるため、機械式オイルポンプＭＰが駆動される。
【００９１】
〔その他の実施形態〕
最後に、本発明のその他の実施形態について説明する。なお、以下に説明する各実施形態の構成は、それぞれ単独で適用されるものに限られず、矛盾が生じない限り、他の実施形態の構成と組み合わせて適用することも可能である。
【００９２】
（１）上記の実施形態において、車両の駆動力源として、内燃機関ＥＮＧのみが備えられている場合を例として説明した。しかし、本発明の実施形態はこれに限定されない。すなわち、車両の駆動力源として、内燃機関ＥＮＧに加えて、電動機及び発電機の双方の機能を有する車輪駆動用の電動モータが備えられてもよい。この場合は、例えば、車輪駆動用の電動モータは、変速入力軸Ｍや出力軸Ｏと一体的に回転するように連結されてもよい。または、車輪駆動用の電動モータは、内燃機関ＥＮＧにより駆動される車輪Ｗとは異なる車輪Ｗに駆動連結されていてもよい。この場合、電動駆動制御部４５は、アイドリングストップ中に加えて、内燃機関ＥＮＧの回転を停止した状態で、車輪駆動用の電動モータの駆動力により車輪を駆動する電動走行モードを実行している場合にも、変速装置ＴＭや車輪駆動用の電動モータなどに油を供給するために、電動オイルポンプＥＰを駆動する電動駆動制御を実行するように構成されてもよい。
【００９３】
或いは、車輪駆動用の電動モータは、入力軸Ｉと一体回転するように連結されてもよい。この場合は、内燃機関ＥＮＧと回転電機との間の動力伝達経路に、クラッチが設けられていてもよい。
【００９４】
（２）上記の実施形態において、車両用駆動装置２に、トルクコンバータ１４及び変速装置ＴＭが備えられている場合を例として説明した。しかし、本発明の実施形態はこれに限定されない。すなわち、車両用駆動装置２は、車両用油圧供給装置１の油圧が供給される対象があれば、任意の構成とすることができる。例えば、変速装置ＴＭとして無段変速装置が備えられてもよく、トルクコンバータ１４が備えられなくともよく、動力伝達経路にクラッチや差動歯車機構などが備えられてもよい。
【００９５】
（３）上記の実施形態において、制御装置３０が、複数の機能部４０〜４５を備える場合を例として説明した。しかし、本発明の実施形態はこれに限定されない。すなわち、制御装置３０が、複数の制御ユニットを備え、複数の制御ユニットが分担して、複数の機能部４０〜４５を備えるようにしてもよい。
【００９６】
（４）上記の実施形態において、電動モータＥＭの回転速度制御が、比例積分制御からなる場合を例として説明した。しかし、本発明の実施形態はこれに限定されない。電動モータＥＭの回転速度ωｍが、目標回転速度ωｍｏに近づくように電動モータの出力トルクを変化させる制御であれば、どのような制御が用いられてもよい。
【００９７】
（５）上記の実施形態において、電動駆動制御部４５は、電動オイルポンプＥＰの空転状態を判定する複数の方法を実行するように構成されている場合を例として説明した。しかし、本発明の実施形態はこれに限定されない。電動駆動制御部４５は、複数の空転状態の判定方法の内、単数又は複数を任意の組み合わせで実行するように構成されてもよい。
【００９８】
（６）上記の実施形態において、電動オイルポンプＥＰ及び機械式オイルポンプＭＰに、ポンプロータを備える歯車ポンプやベーンポンプが用いられている場合を例として説明した。しかし、本発明の実施形態はこれに限定されない。電動オイルポンプＥＰ及び機械式オイルポンプＭＰには、油を吸入して吐出する機能を有するものであれば、どのような種類のオイルポンプが用いられてもよく、例えば、斜板式などのピストンポンプが用いられてもよい。この場合は、シリンダ内がポンプ室となり、空転状態は、シリンダ内に空気が混入した状態となる。
【産業上の利用可能性】
【００９９】
本発明は、内燃機関により駆動される機械式オイルポンプと、電動モータにより駆動される電動オイルポンプと、前記機械式オイルポンプ及び前記電動オイルポンプから吐出された油を供給対象に供給する油路と、を備えた車両用油圧供給装置を制御対象とする制御装置に好適に利用することができる。
【符号の説明】
【０１００】
１        ：車両用油圧供給装置
２        ：車両用駆動装置
３        ：油路
３０      ：車両用油圧供給装置の制御装置
３１      ：内燃機関制御装置
４０      ：変速制御部
４１      ：ロックアップ制御部
４２      ：油圧供給制御部
４３      ：電動モータ制御部
４４      ：回転速度制御部
４５      ：電動駆動制御部
６０      ：目標電流設定部
６１      ：電流算出部
６２      ：電流フィードバック制御部
６３      ：交流電圧指令算出部
６４      ：インバータ制御部
６５      ：位置速度算出部
７０      ：速度フィードバック制御部
７１      ：目標速度設定部
ＥＮＧ    ：内燃機関
ＭＰ      ：機械式オイルポンプ
ＥＭ      ：電動モータ
ＥＰ      ：電動オイルポンプ
ＰＣ      ：油圧制御装置
ＴＭ      ：変速装置
Ｔｍ      ：電動モータの出力トルク
Ｔｍｏ    ：電動モータの目標出力トルク
ωｍ      ：電動オイルポンプ（電動モータ）の回転速度
ωｍｏ    ：電動モータの目標回転速度
【図１】
2015046075.tif 000003
【図２】
2015046075.tif 000004
【図３】
2015046075.tif 000005
【図４】
2015046075.tif 000006
【図５】
2015046075.tif 000007
【国際調査報告】
2015046075.tif 000008
2015046075.tif 000009
2015046075.tif 000010
2015046075.tif 000011